(57)【要約】【課題】  インクジェット記録装置において、インクタンクと記録ヘッドとを接続するチューブ内に存するインクを移送させる移送手段の駆動をチューブの寸法対応値に対応した態様にて実現すること。【解決手段】  インク供給チューブ１１における第一の検出位置から第二の検出位置まで気泡が移動する間に該インク供給チューブ１１を介して移送されるインクと気泡との混合物の移送量（インク移送量）を決定する。そして、決定されたインク移送量に基づき、ポンプ１２を駆動制御する。【選択図】図３
2007055256.tif 000002
【特許請求の範囲】
【請求項１】
インクを貯蔵するサブタンクと噴射ノズルとを有し、前記噴射ノズルから前記サブタンク内のインクを選択的に噴射して被記録媒体に画像記録を行う記録ヘッドと、
前記サブタンク内に供給されるインクを貯蔵するメインタンクと、
前記サブタンクと前記メインタンクとを接続するチューブと、
前記チューブ内に存するインクを移送させる移送手段と、
前記チューブにおける第一の検出位置から第二の検出位置まで気泡が移動する間に前記チューブを介して移送されるインクと気泡との混合物の移送量を少なくとも１回決定する移送量決定手段と、
前記移送量決定手段によって少なくとも１回決定された前記移送量に基づき、前記移送手段の駆動制御を行う駆動手段と、
を備えることを特徴とするインクジェット記録装置。
【請求項２】
請求項１に記載のインクジェット記録装置において、
前記チューブにおける第一の検出位置から第二の検出位置まで気泡が移動する間に前記噴射ノズルから吐出されたインク量を少なくとも１回計量する吐出量計量手段を備え、
前記移送量決定手段は、前記吐出量計量手段によって少なくとも１回計量されたインク量に基づいて、前記チューブにおける第一の検出位置から第二の検出位置まで気泡が移動する間に前記チューブを介して移送されるインクと気泡との混合物の移送量を少なくとも１回決定することを特徴とするインクジェット記録装置。
【請求項３】
請求項１または請求項２に記載のインクジェット記録装置において、
前記チューブにおける第一の検出位置から第二の検出位置まで気泡が移動する間に前記チューブを介して移送されるインクと気泡との混合物の移送量であって、前記チューブの初期寸法に基づき予め設定された初期移送量を記憶する初期量記憶手段を備え、
前記移送量決定手段によって実際に前記移送量が決定される前においては、前記移送量決定手段は、前記初期量記憶手段が記憶した前記初期移送量を、前記移送量決定手段によって決定される前記移送量として決定し、
前記駆動手段は、前記初期移送量に基づき、前記移送手段の駆動制御を行うことを特徴とするインクジェット記録装置。
【請求項４】
請求項１または請求項２に記載のインクジェット記録装置において、
前記移送量決定手段によって少なくとも１回決定された前記移送量に基づき、前記チューブの寸法対応値を少なくとも１個決定する対応値決定手段を備え、
前記駆動手段は、前記対応値決定手段によって決定された少なくとも１個の寸法対応値に基づき、前記移送手段の駆動制御を行うことを特徴とするインクジェット記録装置。
【請求項５】
請求項４に記載のインクジェット記録装置において、
前記チューブの初期寸法に基づき予め設定された初期寸法対応値を記憶する初期値記憶手段を備え、
前記対応値決定手段によって実際に前記寸法対応値が少なくとも１回決定される前においては、前記対応値決定手段は、前記初期値記憶手段が記憶した前記初期寸法対応値を、前記対応値決定手段によって決定される前記寸法対応値として決定し、
前記駆動手段は、前記初期寸法対応値に基づき、前記移送手段の駆動制御を行うことを特徴とするインクジェット記録装置。
【請求項６】
請求項１または請求項２に記載のインクジェット記録装置において、
前記移送量決定手段は、前記移送量を繰り返し決定し、
当該インクジェット記録装置は、
前記移送量決定手段によって繰り返し決定された複数個の前記移送量を記憶する移送量記憶手段と、
前記移送量記憶手段が記憶した少なくとも２個の前記移送量の平均値を決定する平均値決定手段と、
を備え、
前記駆動手段は、前記平均値決定手段によって決定された前記平均値に基づき、前記移送手段の駆動制御を行うことを特徴とするインクジェット記録装置。
【請求項７】
請求項６に記載のインクジェット記録装置において、
前記チューブにおける第一の検出位置から第二の検出位置まで気泡が移動する間に前記チューブを介して移送されるインクと気泡との混合物の移送量として、前記チューブの初期寸法に基づき予め設定された初期移送量を記憶する初期量記憶手段を備え、
前記平均値決定手段は、
前記移送量記憶手段が記憶する前記移送量の個数が１個以上あるものの２個以上の予め定めた個数未満である場合には、前記移送量記憶手段が記憶する少なくとも１個の前記移送量と、前記初期量記憶手段が記憶する前記初期移送量との平均値を決定し、
前記駆動手段は、該平均値に基づき、前記移送手段の駆動制御を行うことを特徴とするインクジェット記録装置。
【請求項８】
請求項６または請求項７に記載のインクジェット記録装置において、
前記平均値決定手段によって決定された前記平均値を記憶する平均値記憶手段と、
前記移送量決定手段によって最新の前記移送量が決定され、前記移送量記憶手段が当該最新の前記移送量を記憶した際に、当該最新の前記移送量と、前記平均値記憶手段が記憶する前記平均値との間の偏差が予め定めた範囲外の値か否かを判断する偏差判断手段と、
を備え、
前記偏差判断手段により、前記偏差が予め定めた範囲外の値であると判断された際には、
前記平均値決定手段は、前記移送量記憶手段が記憶する前記最新の前記移送量を含む少なくとも２個の前記移送量の平均値を決定すると共に、前記平均値記憶手段は、当該決定した平均値を、当該平均値記憶手段が今まで記憶していた前記平均値の更新値として記憶する一方、
前記偏差判断手段により、前記偏差が予め定めた範囲外の値ではないと判断された際には、
前記平均値決定手段は、前記平均値記憶手段が今まで記憶していた前記平均値を、前記駆動手段が前記移送手段を制御する際に用いる前記平均値として決定することを特徴とするインクジェット記録装置。
【請求項９】
請求項１または請求項２に記載のインクジェット記録装置において、
前記移送量決定手段は、前記移送量を繰り返し決定し、
当該インクジェット記録装置は、
前記移送量決定手段によって繰り返し決定された複数個の前記移送量の夫々に基づき、前記チューブの寸法対応値を決定する対応値決定手段と、
前記対応値決定手段によって決定された複数個の前記寸法対応値を記憶する対応値記憶手段と、
前記対応値記憶手段が記憶した少なくとも２個の前記寸法対応値の平均値を決定する平均値決定手段と、
を備え、
前記駆動手段は、前記平均値決定手段によって決定された前記平均値に基づき、前記移送手段の駆動制御を行うことを特徴とするインクジェット記録装置。
【請求項１０】
請求項９に記載のインクジェット記録装置において、
前記チューブの初期寸法に基づき予め設定された初期寸法対応値を記憶する初期値記憶手段を備え、
前記平均値決定手段は、
前記対応値記憶手段が記憶する前記寸法対応値の個数が１個以上あるものの２個以上の予め定めた個数未満である場合には、前記対応値記憶手段が記憶する少なくとも１個の前記寸法対応値と、前記初期値記憶手段が記憶する前記初期寸法対応値との平均値を決定し、
前記駆動手段は、該平均値に基づき、前記移送手段の駆動制御を行うことを特徴とするインクジェット記録装置。
【請求項１１】
請求項９または請求項１０に記載のインクジェット記録装置において、
前記平均値決定手段によって決定された前記平均値を記憶する平均値記憶手段と、
前記対応値決定手段によって最新の前記寸法対応値が決定され、前記対応値記憶手段が当該最新の前記寸法対応値を記憶した際に、当該最新の前記寸法対応値と、前記平均値記憶手段が記憶する前記平均値との間の偏差が予め定めた範囲外の値か否かを判断する偏差判断手段と、
を備え、
前記偏差判断手段により、前記偏差が予め定めた範囲外の値であると判断された際には、
前記平均値決定手段は、前記対応値記憶手段が記憶する前記最新の前記寸法対応値を含む少なくとも２個の前記寸法対応値の平均値を決定すると共に、前記平均値記憶手段は、当該決定した平均値を、前記平均値記憶手段が今まで記憶していた前記平均値の更新値として記憶する一方、
前記偏差判断手段により、前記偏差が予め定めた範囲外の値ではないと判断された際には、
前記平均値決定手段は、前記平均値記憶手段が今まで記憶していた前記平均値を、前記駆動手段が前記移送手段を制御する際に用いる前記平均値として決定することを特徴とするインクジェット記録装置。
【請求項１２】
請求項１〜請求項３のいずれかに記載のインクジェット記録装置において、
前記駆動手段は、前記移送量決定手段によって少なくとも１回決定された前記移送量に基づき、少なくとも前記チューブ内に存するインクと気泡との混合物の廃棄移送量を決定すると共に、該廃棄移送量の前記混合物を前記チューブ内から廃棄させるよう、前記移送手段の駆動制御を行うことを特徴とするインクジェット記録装置。
【請求項１３】
請求項６〜請求項１１のいずれかに記載のインクジェット記録装置において、
前記駆動手段は、前記平均値決定手段によって決定された前記平均値に基づき、少なくとも前記チューブ内に存するインクと気泡との混合物の廃棄移送量を決定すると共に、該廃棄移送量の前記混合物を前記チューブ内から廃棄させるよう、前記移送手段の駆動制御を行うことを特徴とするインクジェット記録装置。
【請求項１４】
請求項４または請求項５に記載のインクジェット記録装置において、
前記駆動手段は、前記対応値決定手段によって決定された前記寸法対応値に基づき、少なくとも前記チューブ内に存するインクと気泡との混合物の廃棄移送量を決定すると共に、該廃棄移送量の前記混合物を前記チューブ内から廃棄させるよう、前記移送手段の駆動制御を行うことを特徴とするインクジェット記録装置。
【請求項１５】
請求項４または請求項５に記載のインクジェット記録装置において、
前記寸法対応値は、前記チューブにおける第一の検出位置から第二の検出位置までの部分の内径と、前記チューブにおける第一の検出位置から第二の検出位置までの部分内をインクが流動する際の流路抵抗とのうちの一方であり、
前記駆動手段は、前記対応値決定手段によって決定された前記寸法対応値に基づき、前記噴射ノズルの吐出能力回復のために前記チューブ内に存するインクにかけるべき圧力を決定すると共に、該圧力に対応した前記移送手段の駆動制御を行うことを特徴とするインクジェット記録装置。
【請求項１６】
請求項９〜請求項１１のいずれかに記載のインクジェット記録装置において、
前記寸法対応値は、前記チューブにおける第一の検出位置から第二の検出位置までの部分の内径と、前記チューブにおける第一の検出位置から第二の検出位置までの部分内をインクが流動する際の流路抵抗とのうちの一方であり、
前記駆動手段は、前記平均値決定手段によって決定された前記平均値に基づき、前記噴射ノズルの吐出能力回復のために前記チューブ内に存するインクにかけるべき圧力を決定すると共に、該圧力に対応した前記移送手段の駆動制御を行うことを特徴とするインクジェット記録装置。
【請求項１７】
請求項１〜請求項１６のいずれかに記載のインクジェット記録装置において、
前記チューブにおける前記第一の検出位置から前記第二の検出位置まで気泡が移動する前に、前記チューブを介して移送されるインクと気泡との混合物の移送量が予め定めた量以上になったか否かを判断する判断手段を備え、
前記判断手段により、前記チューブにおける前記第一の検出位置から前記第二の検出位置まで気泡が移動する前に、前記チューブを介して移送される前記混合物の移送量が前記予め定めた量以上になったと判断された際には、
前記移送量決定手段は、前記予め定めた量以上になった移送量を、前記移送量決定手段によって決定される移送量から除外することを特徴とするインクジェット記録装置。
【請求項１８】
請求項１〜１７のいずれかに記載のインクジェット記録装置において、
前記第一の検出位置については、前記チューブにおける前記メインタンク側の端部付近に設定されており、前記第二の検出位置については、前記チューブにおける前記サブタンク側の端部付近に設定されていることを特徴とするインクジェット記録装置。
【発明の詳細な説明】
【技術分野】
【０００１】
本発明は、インクジェット記録装置において、インクタンクと記録ヘッドとを接続するチューブの寸法対応値（例えば、チューブの径寸法、長さ寸法、チューブ内容積、チューブ内流路抵抗（圧力損失））のばらつき具合にも拘わらず、少なくとも該チューブ内に存するインクと気泡とのうち少なくとも一方の移送を該チューブの寸法対応値に対応した態様にて行う技術に関する。
【背景技術】
【０００２】
従来より、チューブ供給型のインク供給システムを備えるインクジェット記録装置が知られている。すなわち、この種のインクジェット記録装置は、噴射ノズルからインクを噴射して被記録媒体に記録を行う記録ヘッドおよび記録ヘッドに供給されるインクを貯えるサブタンクを搭載したキャリッジと、サブタンクへ供給されるインクを貯えるメインタンクと、を備える。このインクジェット記録装置は、サブタンクのインクが減少したときにはメインタンクからチューブを介してサブタンクへインクを供給するよう構成されている。
【０００３】
しかし、上述のようなチューブ供給型のインク供給システムを備えるインクジェット記録装置では、記録ヘッドの噴射ノズル内およびチューブ内に溜まったインクの粘度が徐々に増加する。そこで、このようなインクジェット記録装置の中には、記録ヘッドの噴射ノズル内やチューブ内に溜まったインクを排出するために定期的にパージ動作を行っているインクジェット記録装置がある（例えば、特許文献１参照。）。
【特許文献１】特開２００５−２２１６７号公報（第６，７頁、図１）
【発明の開示】
【発明が解決しようとする課題】
【０００４】
しかし、上述のようなインクジェット記録装置においては、次のような問題があった。すなわち、上述のチューブについては、製造時にその寸法対応値（例えば、チューブの内径寸法、長さ寸法、チューブ内容積、チューブ内流路抵抗（圧力損失））にばらつきが存在する。
【０００５】
このため、例えば、チューブ内容積が設計上のチューブ内容積より小さい場合があり得るにも拘わらず、チューブ内に増粘したインクあるいは気泡含有インクが残留することを確実に防止するためには、設計上のチューブ内容積よりも多めのインクあるいは気泡含有インクを初期導入時（インクジェット記録装置の電源を最初に投入した時）などにチューブ外に廃棄することが考えられる。
【０００６】
また、例えば、チューブの径（チューブ内の径）が設計上の値よりも大きい場合があり得る。この場合には、チューブの径が設計上の値である場合に比べ、チューブの流路抵抗（換言すれば、インクがチューブ内を流動する際の流路抵抗（圧力損失））が低くなる。しかし、噴射ノズルの吐出能力回復を図るためのパージ動作時に、噴射ノズルの吐出能力を確実に回復させるためには、チューブの径が設計上の値である場合におけるチューブの流路抵抗よりも当該流路抵抗が高い場合を想定したパージ圧力で、噴射ノズルからインクを吐出させることが考えられる。従って、この場合も、実際に必要な量を越えた量のインクを吐出（廃棄）することになる。
【０００７】
本発明は、このような不具合に鑑みなされたものであり、その目的とするところは、インクジェット記録装置において、インクタンクと記録ヘッドとを接続するチューブ内に存するインクを移送させる移送手段の駆動をチューブの寸法対応値に対応した態様にて実現する技術を提供することにある。
【課題を解決するための手段】
【０００８】
上記課題を解決するためになされた請求項１に係るインクジェット記録装置は、記録ヘッドと、メインタンクと、チューブと、移送手段と、移送量決定手段と、駆動手段と、を備える。
【０００９】
ここで、記録ヘッドは、インクを貯蔵するサブタンクと噴射ノズルとを有し、噴射ノズルからサブタンク内のインクを選択的に噴射して被記録媒体に画像記録を行う。メインタンクは、サブタンク内に供給されるインクを貯蔵する。チューブは、サブタンクとメインタンクとを接続する。移送手段は、チューブ内に存するインクを移送させる。移送量決定手段は、チューブにおける第一の検出位置から第二の検出位置まで気泡が移動する間にチューブを介して移送されるインクと気泡との混合物の移送量を少なくとも１回決定する。駆動手段は、移送量決定手段によって少なくとも１回決定された移送量に基づき、移送手段の駆動制御を行う。
【００１０】
移送量決定手段が決定する移送量は、チューブ内の２つの検出位置間の容積（寸法対応値）に対応する。それゆえ、本発明において、駆動手段は、チューブの寸法対応値に対応した移送手段の駆動制御を行うことになる。
【００１１】
従って、本発明によれば、例えば、チューブの寸法対応値に対応した移送手段の駆動制御が実現される分だけ、チューブ内に増粘したインクあるいは気泡含有インクが残留することを防止するために、初期導入時などにチューブ外に廃棄される無駄なインク量や、噴射ノズルの吐出能力回復のために噴射ノズルから吐出される無駄なインク量を低減させることが可能になる。
【００１２】
本発明のインクジェット記録装置は、請求項２に記載の如く、チューブにおける第一の検出位置から第二の検出位置まで気泡が移動する間に噴射ノズルから吐出されたインク量を少なくとも１回計量する吐出量計量手段を備えていても良い。
【００１３】
この場合には、移送量決定手段は、吐出量計量手段によって少なくとも１回計量されたインク量に基づいて、チューブにおける第一の検出位置から第二の検出位置まで気泡が移動する間にチューブを介して移送されるインクと気泡との混合物の移送量を少なくとも１回決定することが考えられる。
【００１４】
このように構成すれば、移送量決定手段による移送量の決定が、噴射ノズルから吐出されるインク量に基づいて実行される分だけ、当該移送量の決定が正確に実行される。
本発明のインクジェット記録装置は、請求項３に記載の如く、チューブにおける第一の検出位置から第二の検出位置まで気泡が移動する間にチューブを介して移送されるインクと気泡との混合物の移送量であって、チューブの初期寸法に基づき予め設定された初期移送量を記憶する初期量記憶手段を備えていても良い。
【００１５】
ここで、初期移送量とは、上述の移送量の初期値のことである。初期移送量の具体例としては、例えば、チューブの設計上の寸法対応値、あるいは、当該インクジェット記録装置を製造した際に実測したチューブの寸法対応値から想定される、チューブにおける第一の検出位置から第二の検出位置まで気泡が移動する間に前記チューブを介して移送されるインクと気泡との混合物の移送量が考えられる。
【００１６】
請求項３の場合、移送量決定手段によって実際に移送量が決定される前においては、移送量決定手段は、初期量記憶手段が記憶した初期移送量を、移送量決定手段によって決定される移送量として決定し、駆動手段は、初期移送量に基づき、移送手段の駆動制御を行う。
【００１７】
このようにすれば、２つの検出位置間を気泡が移動する間にチューブを介して移送されるインクと気泡との混合物の移送量を実際に決定する前の段階においても、駆動手段が、チューブの寸法対応値に対応した移送手段の駆動制御を行うことが可能になる。
【００１８】
本発明のインクジェット記録装置は、請求項４に記載の如く、移送量決定手段によって少なくとも１回決定された移送量に基づき、チューブの寸法対応値を決定する対応値決定手段を備えていても良い。そして、この場合には、駆動手段は、対応値決定手段によって決定された少なくとも１個の寸法対応値に基づき、移送手段の駆動制御を行うものであっても良い。
【００１９】
このようにすれば、チューブの寸法対応値に対応した移送手段の駆動制御が好適に実現される。
また、請求項４に記載の態様においては、請求項５に記載の態様を採用しても良い。すなわち、請求項５に記載のインクジェット記録装置は、更に、チューブの初期寸法に基づき予め設定された初期寸法対応値を記憶する初期値記憶手段を備える。
【００２０】
ここで、初期寸法対応値とは、上述の寸法対応値の初期値のことであり、初期寸法対応値の具体例としては、例えば、設計上の寸法対応値、あるいは、当該インクジェット記録装置を製造した際に実測した寸法対応値などが考えられる。
【００２１】
そして、請求項５では、対応値決定手段によって実際に寸法対応値が少なくとも１回決定される前においては、対応値決定手段は、初期値記憶手段が記憶した初期寸法対応値を、対応値決定手段によって決定される寸法対応値として決定し、駆動手段は、初期寸法対応値に基づき、移送手段の駆動制御を行う。
【００２２】
このようにすれば、移送量決定手段によって決定される移送量に基づき、チューブの寸法対応値が実際に決定される前の段階においても、駆動手段が、チューブの寸法対応値に対応した移送手段の駆動制御を行うことが可能になる。
【００２３】
本発明においては、請求項６に記載の如く、移送量決定手段が、上記移送量を繰り返し決定するものであっても良い。この場合、本発明のインクジェット記録装置は、移送量決定手段によって繰り返し決定された複数個の移送量を記憶する移送量記憶手段と、移送量記憶手段が記憶した少なくとも２個の移送量の平均値を決定する平均値決定手段と、を備えていても良い。そして、この場合、駆動手段は、平均値決定手段によって決定された平均値に基づき、移送手段の駆動制御を行うことが考えられる。
【００２４】
請求項６の場合、移送量決定手段によって決定される複数個の移送量の夫々は、チューブの容積（寸法対応値）に対応する。このような移送量の平均値は、移送量決定手段によって決定される個々の移送量よりもチューブの実際の寸法対応値により正確に対応したものである可能性が高い。
【００２５】
それゆえ、この場合には、移送量決定手段によって決定される個々の移送量だけに基づいて移送手段の駆動制御を行う場合よりも、チューブの実際の寸法対応値により正確に対応した移送手段の駆動制御が実現する可能性が高くなる。
【００２６】
請求項６に記載の態様においては、請求項７に記載の態様を採用しても良い。すなわち、請求項７に記載のインクジェット記録装置は、チューブにおける第一の検出位置から第二の検出位置まで気泡が移動する間にチューブを介して移送されるインクと気泡との混合物の移送量として、チューブの初期寸法に基づき予め設定された初期移送量を記憶する初期量記憶手段を備える。
【００２７】
請求項７の場合、平均値決定手段は、移送量記憶手段が記憶する移送量の個数が１個以上あるものの２個以上の予め定めた個数未満である場合には、移送量記憶手段が記憶する少なくとも１個の移送量と、初期量記憶手段が記憶する初期移送量との平均値を決定する。また、駆動手段は、該平均値に基づき、移送手段の駆動制御を行う。
【００２８】
このようにすれば、２つの検出位置間を気泡が移動する間にチューブを介して移送されるインクと気泡との混合物の移送量を多数回決定する前の段階においても、チューブの実際の寸法対応値に比較的正確に対応した移送手段の駆動制御が実現する可能性が高くなる。
【００２９】
請求項６または請求項７に記載の態様においては、請求項８に記載の態様を採用しても良い。すなわち、請求項８に記載のインクジェット記録装置は、平均値決定手段によって決定された平均値を記憶する平均値記憶手段と、移送量決定手段によって最新の移送量が決定され、移送量記憶手段が当該最新の移送量を記憶した際に、当該最新の移送量と、平均値記憶手段が記憶する平均値との間の偏差が予め定めた範囲外の値か否かを判断する偏差判断手段と、を備える。
【００３０】
ここで、請求項８では、偏差判断手段により、上記偏差が予め定めた範囲外の値であると判断された際には、平均値決定手段は、移送量記憶手段が記憶する最新の移送量を含む少なくとも２個の移送量の平均値を決定すると共に、平均値記憶手段は、当該決定した平均値を、当該平均値記憶手段が今まで記憶していた平均値の更新値として記憶する。
【００３１】
また、請求項８では、偏差判断手段により、上記偏差が予め定めた範囲外の値ではないと判断された際には、平均値決定手段は、平均値記憶手段が今まで記憶していた平均値を、駆動手段が移送手段を制御する際に用いる平均値として決定する。
【００３２】
この場合には、移送量決定手段が決定した最新の移送量と平均値記憶手段が記憶する平均値との間の偏差が比較的大きい場合だけ移送手段を制御する際に用いられる平均値が変更される分だけ、移送量決定手段によって最新の移送量が決定される度に当該平均値が変更される場合に比べて、駆動手段により実行される制御処理が簡略化される。
【００３３】
本発明においては、請求項９に記載の如く、移送量決定手段が、上記移送量を繰り返し決定するものであっても良い。この場合、本発明のインクジェット記録装置は、移送量決定手段によって繰り返し決定された複数個の移送量の夫々に基づき、チューブの寸法対応値を決定する対応値決定手段と、対応値決定手段によって決定された複数個の寸法対応値を記憶する対応値記憶手段と、対応値記憶手段が記憶した少なくとも２個の寸法対応値の平均値を決定する平均値決定手段と、を備えていても良い。そして、この場合、駆動手段は、平均値決定手段によって決定された平均値に基づき、移送手段の駆動制御を行うことが考えられる。
【００３４】
請求項９の場合、平均値決定手段によって決定される、チューブの寸法対応値を平均した平均値は、対応値決定手段によって決定されるチューブの寸法対応値夫々の値よりもチューブの実際の寸法対応値により正確に対応したものである可能性が高い。
【００３５】
それゆえ、この場合には、対応値決定手段によって決定されるチューブの寸法対応値夫々の値だけに基づいて移送手段の駆動制御を行う場合よりも、チューブの実際の寸法対応値により正確に対応した移送手段の駆動制御が実現する可能性が高くなる。
【００３６】
請求項９に記載の態様においては、請求項１０に記載の態様を採用しても良い。すなわち、請求項１０に記載のインクジェット記録装置は、チューブの初期寸法に基づき予め設定された初期寸法対応値を記憶する初期値記憶手段を備える。
【００３７】
請求項１０の場合、平均値決定手段は、対応値記憶手段が記憶する寸法対応値の個数が１個以上あるものの２個以上の予め定めた個数未満である場合には、対応値記憶手段が記憶する少なくとも１個の寸法対応値と、初期値記憶手段が記憶する初期寸法対応値との平均値を決定する。また、駆動手段は、該平均値に基づき、移送手段の駆動制御を行う。
【００３８】
このようにすれば、移送量決定手段によって決定される多数個の移送量に基づき、チューブの寸法対応値が多数個実際に決定される前の段階においても、チューブの実際の寸法対応値に比較的正確に対応した移送手段の駆動制御が実現する可能性が高くなる。
【００３９】
請求項９または請求項１０に記載の態様においては、請求項１１に記載の態様を採用しても良い。すなわち、請求項１１に記載のインクジェット記録装置は、平均値決定手段によって決定された平均値を記憶する平均値記憶手段と、対応値決定手段によって最新の寸法対応値が決定され、対応値記憶手段が当該最新の寸法対応値を記憶した際に、当該最新の寸法対応値と、平均値記憶手段が記憶する平均値との間の偏差が予め定めた範囲外の値か否かを判断する偏差判断手段と、を備える。
【００４０】
ここで、請求項１１では、偏差判断手段により、上記偏差が予め定めた範囲外の値であると判断された際には、平均値決定手段は、対応値記憶手段が記憶する最新の寸法対応値を含む少なくとも２個の寸法対応値の平均値を決定すると共に、平均値記憶手段は、当該決定した平均値を、平均値記憶手段が今まで記憶していた平均値の更新値として記憶する。
【００４１】
また、請求項１１では、偏差判断手段により、上記偏差が予め定めた範囲外の値ではないと判断された際には、平均値決定手段は、平均値記憶手段が今まで記憶していた平均値を、駆動手段が移送手段を制御する際に用いる平均値として決定する。
【００４２】
この場合には、対応値決定手段が決定した最新の寸法対応値と平均値記憶手段が記憶する平均値との間の偏差が比較的大きい場合だけ移送手段を制御する際に用いられる平均値が変更される分だけ、対応値決定手段によって最新の寸法対応値が決定される度に当該平均値が変更される場合に比べて、駆動手段により実行される制御処理が簡略化される。
【００４３】
請求項１２に記載の如く、本発明において、駆動手段は、移送量決定手段によって少なくとも１回決定された移送量に基づき、少なくともチューブ内に存するインクと気泡との混合物の廃棄移送量を決定すると共に、該廃棄移送量の混合物をチューブ内から廃棄させるよう、移送手段の駆動制御を行うものであっても良い。
【００４４】
また、請求項１３に記載の如く、本発明において、駆動手段は、平均値決定手段によって決定された平均値に基づき、少なくともチューブ内に存するインクと気泡との混合物の廃棄移送量を決定すると共に、該廃棄移送量の混合物をチューブ内から廃棄させるよう、移送手段の駆動制御を行うものであっても良い。
【００４５】
また、請求項１４に記載の如く、本発明において、駆動手段は、対応値決定手段によって決定された寸法対応値に基づき、少なくともチューブ内に存するインクと気泡との混合物の廃棄移送量を決定すると共に、該廃棄移送量の混合物をチューブ内から廃棄させるよう、移送手段の駆動制御を行うものであっても良い。
【００４６】
これらの場合には、上記「廃棄移送量」がチューブの寸法対応値に対応したものとして決定される分だけ、少なくともチューブ内から廃棄される無駄なインク量を低減できる。
本発明において、上記寸法対応値は、チューブにおける第一の検出位置から第二の検出位置までの部分の内径（以下、単に「チューブ内径」ともいう。）と、チューブにおける第一の検出位置から第二の検出位置までの部分内をインクが流動する際の流路抵抗（圧力損失）（以下、単に「チューブ流路抵抗」ともいう。）とのうちの一方であっても良い。
【００４７】
この場合には、請求項４または請求項５に従属する請求項１５に記載の如く、駆動手段は、対応値決定手段によって決定された寸法対応値に基づき、噴射ノズルの吐出能力回復のためにチューブ内に存するインクにかけるべき圧力を決定すると共に、該圧力に対応した移送手段の駆動制御を行うものであっても良い。
【００４８】
また、この場合には、請求項９〜請求項１１のいずれかに従属する請求項１６に記載の如く、駆動手段は、平均値決定手段によって決定された平均値に基づき、噴射ノズルの吐出能力回復のためにチューブ内に存するインクにかけるべき圧力を決定すると共に、該圧力に対応した移送手段の駆動制御を行うものであっても良い。
【００４９】
上述したように、移送量決定手段が決定する移送量は、チューブ内の２つの検出位置間の容積に対応する。
ここで、例えば、チューブにおける第一の検出位置から第二の検出位置までの部分の長さ寸法（以下、単に「チューブ長さ」ともいう。）や、チューブ内壁面における第一の検出位置から第二の検出位置までの部分の表面粗さ（以下、単に「チューブ粗さ」ともいう。）のそれぞれをチューブの違いに拘らず予め定めた同じ値と仮定できる状況下を想定してみる。
【００５０】
この場合においては、移送量決定手段が決定する移送量に基づき、チューブ内径を上記寸法対応値として決定可能である。また、チューブ内径とチューブ長さとチューブ粗さとが明らかであれば、チューブ流路抵抗も上記寸法対応値として決定可能である。
【００５１】
そして、例えば、噴射ノズルの吐出能力回復を図るためのパージ動作時に、噴射ノズルの部分にかけるべき圧力が規定値として設定されている場合には、当該規定値とチューブ流路抵抗とに基づき、チューブ内に存するインクにかけるべき圧力を決定することは可能となる。
【００５２】
従って、請求項１５や１６の場合には、上記「噴射ノズルの吐出能力回復のためにチューブ内に存するインクにかけるべき圧力」がチューブの寸法対応値（「チューブ内径」あるいは「チューブ流路抵抗」）に対応したものとして決定される分だけ、噴射ノズルの吐出能力回復のために噴射ノズルから吐出される無駄なインク量を低減できる。
【００５３】
本発明のインクジェット記録装置は、請求項１７に記載の如く、チューブにおける第一の検出位置から第二の検出位置まで気泡が移動する前に、チューブを介して移送されるインクと気泡との混合物の移送量が予め定めた量以上になったか否かを判断する判断手段を備えていても良い。
【００５４】
この場合には、該判断手段により、チューブにおける第一の検出位置から第二の検出位置まで気泡が移動する前に、チューブを介して移送される混合物の移送量が上記予め定めた量以上になったと判断された際には、移送量決定手段は、上記予め定めた量以上になった移送量を、移送量決定手段によって決定される移送量から除外する。
【００５５】
このようにすれば、第一の検出位置で検出したチューブ内の気泡が、例えば、インクがチューブ外に移送されることに伴い、チューブ内を移動する気泡でなかった場合に、誤って、当該「第一の検出位置で検出したチューブ内の気泡」の移動に基づき、移送量決定手段が移送量を決定してしまうことを防止できる。
【００５６】
本発明のインクジェット記録装置では、請求項１８に記載の如く、第一の検出位置については、チューブにおけるメインタンク側の端部付近に設定される一方、第二の検出位置については、チューブにおけるサブタンク側の端部付近に設定されていても良い。
【００５７】
このようにすれば、第一の検出位置と第二の検出位置との間隔がチューブの実際の長さ寸法に近くなる分だけ、チューブ全体の寸法対応値に対応した移送手段の駆動制御が実現され易くなる。
【発明を実施するための最良の形態】
【００５８】
以下、本発明の一実施形態を図面に基づいて説明する。
［インクジェット記録装置１の全体構成の説明］
図１は、本発明を適用するのに好適なインクジェット記録装置１の外形斜視図である。また、図２は、インクジェット記録装置１の断面図である。
【００５９】
インクジェット記録装置１は、プリンタ機能、コピー機能、スキャナ機能、ファクシミリ機能等を備えた、いわゆる多機能装置（ＭＦＤ：Multi Function Device）であり、被記録媒体として、紙又はプラスチックフィルム等のシート状の用紙が用いられる。なお、本インクジェット記録装置１では、ファクシミリ機能においては、モノクロ画像記録を行い、プリンタ機能及びコピー機能においては、カラー及びモノクロ画像記録を行うことが可能である。
【００６０】
図１及び図２に示すように、インクジェット記録装置１は、ケース１ａの上部にスキャナ２が設けられ、その下部（ケース１ａ内の上部）に、上記各種機能において記録用紙４０への記録（画像形成）を行うための記録部７が設けられている。
【００６１】
図２に示すように、ケース１ａ内の下部には、給紙装置３０が設けられている。また、ケース１ａ内の後方であって給紙装置３０よりも上方には、箱型の金属製のフレーム５が配置されている。フレーム５は左右方向に長いほぼ直方体形状であり、ケース１ａの内部に固定されている。
【００６２】
フレーム５内の上部には記録部７が配置されている。記録部７は、プリンタ画像記録を行うための記録ヘッド４を搭載して左右（主走査方向）へ往復移動可能なキャリッジ４ａ及びその他の機構からなる。この記録部７において、キャリッジ４ａはＣＰＵ等からなる制御装置１１０（図２には示さず。図６参照）により制御されることにより左右に往復することで記録ヘッド４も走査される。記録ヘッド４はこの走査時に噴射ノズル１４ａ（図２には示さず。図３（ａ）参照）からインクを吐出することで記録ヘッド４の下方で停止配置される記録用紙４０に画像を記録する。
【００６３】
また、記録部７におけるキャリッジ４ａの待機位置に相当する位置にはメンテナンスユニット（図示なし）が搭載されている。メンテナンスユニット部分では、ブレード等による記録ヘッド４のノズル面の拭き取りを行うワイピング動作や、噴射ノズル１４ａ内からゴミや空気、更には固化したインクを強制的に除去するためのパージ動作、フラッシング動作等の各種メンテナンス動作が行われる。
【００６４】
ケース１ａ内部の前方には、フルカラー画像記録のための４色（ブラック、シアン、マゼンタ、イエロー）のインクをそれぞれ収容した４個のインクカートリッジ１３（図２には示さず。図３参照）が収納されている。これらのインクカートリッジ１３は、着脱可能に構成されており、インクの補充を行う場合はインクカートリッジ１３ごと交換する。なお、インクカートリッジ１３は、メインタンクに該当する。
【００６５】
各インクカートリッジ１３に収容されているインクは、各インクカートリッジ１３と記録ヘッド４とを結ぶ４本のインク供給チューブ１１を介して記録ヘッド４へ供給されるように構成されている。そして、これらのインク供給チューブ１１は、キャリッジ４ａの往復運動に対して従動可能に支持されている。
【００６６】
また、フレーム５の後方には、給紙装置３０の後方から記録部７へと記録用紙４０を案内する搬送路５ａが形成されている。記録部７は、搬送路５ａの出口に隣接する箇所に搬送ローラ７ａを有し、画像の記録された記録用紙４０を排出する箇所に排出ローラ７ｂを有する。この搬送ローラ７ａは用紙搬送モータ１２３（図２には示さず。図６参照）の回転駆動力を受けて回転する。
【００６７】
給紙装置３０は、ケース１ａの開口部１ｂから挿入されてセットされた給紙カセット３を備えている。この給紙カセット３には、積み重ねた記録用紙４０を収納する用紙収納部３ａが設けられ、給紙カセット３がケース１ａ内に挿入されると、用紙収納部３ａ内の記録用紙４０はケース１ａ内の後方に配置される。
【００６８】
そして、用紙収納部３ａの最上層に積層されている記録用紙４０は、給紙ローラ８が回転することにより、搬送路５ａを経て記録部７へ送り出される。なお、給紙ローラ８は、駆動軸９に軸支された長尺状のアーム１０の先端部に回転可能に保持されており、駆動軸９が給紙モータ１２２（図２には示さず。図６参照）の回転駆動力を受けて回転することによりその回転が伝達されて回転するよう構成されている。
【００６９】
また、インクジェット記録装置１の上部前面には、各種操作ボタンや液晶パネルなどからなる操作パネル６が設けられている。この操作パネル６により、ユーザは当該インクジェット記録装置１におけるプリンタモード、コピーモード、スキャナモード、ファクシミリモードといった各モードの選択をしたり、各種モードにおける各種設定項目を設定したり、ファクシミリ番号などの必要事項を入力したり、動作状況や通信履歴などを確認したりすることができる。また、この操作パネル６のユーザによる操作により、噴射ノズル１４ａの吐出能力回復を図るために比較的高圧のインク吐出を噴射ノズル１４ａを介して行うこと（パージ動作）を行うこともできる。
【００７０】
［インク供給機構の説明］
図３は、インクジェット記録装置１のインク供給機構の概略構成を示す説明図であり、（ａ）はインク供給機構の側断面を模式的に示す図、（ｂ）は記録ヘッド４の上視断面を模式的に示す図である。
【００７１】
インク供給機構は、記録部７のキャリッジ４ａ上に設けられたマゼンタ（Ｍ）、シアン（Ｃ）、イエロー（Ｙ）、ブラック（Ｋ）各色のインクに対応する４基の記録ヘッド４（図３（ｂ）参照）へそれぞれに対応するインクカートリッジ１３からインクを供給するための機構である。図３（ａ）に示すように、各色のインクに対応する記録ヘッド４内にそれぞれ設けられたサブタンク１４と、各色のインクのインクカートリッジ１３とは、インク供給チューブ１１とインク供給チューブ１１の途中に設けられたポンプ１２とを介して連通している。つまり、４基の記録ヘッド４にそれぞれ対応して、インク供給チューブ１１及びポンプ１２が設けられている。本実施形態では、それぞれのポンプ１２は、インク供給チューブ１１それぞれのインクカートリッジ１３側の端部近傍に設けられている。なお、ポンプ１２は、移送手段に該当する。
【００７２】
インク供給チューブ１１におけるポンプ１２のサブタンク１４側近傍（第一の検出位置）には、インク供給チューブ１１内の気泡を検出可能な気泡検知装置１１ａが設置されている。また、インク供給チューブ１１におけるサブタンク１４近傍（第二の検出位置）には、インク供給チューブ１１内の気泡を検出可能な気泡検知装置１１ｂが設置されている。なお、インク供給チューブ１１の内部容積をより正確に把握する観点から、第一の検出位置についてはポンプ１２（換言すれば、インクカートリッジ１３）に近いほど好ましく、第二の検出位置についてはサブタンク１４に近いほど好ましい。また、これら気泡検知装置１１ａおよび気泡検知装置１１ｂは後述する制御装置１１０と電気的に接続されている。なお、気泡検知装置１１ａおよび気泡検知装置１１ｂの構成としては、インク供給チューブ１１を光が透過する状態をフォトセンサで検知することで気泡の有無を検知する構成（光学式検知装置）や、インク供給チューブ１１の部分について電気抵抗値を継続的に検知し、該抵抗値の変化に基づいて気泡の有無を検知する構成（電気抵抗式検知装置）などが考えられる。但し、これらの構成はいずれも公知技術に従ったものであるためここではその詳細な説明は省略する。
【００７３】
記録ヘッド４は、その下方のノズル面に設けられた噴射ノズル１４ａから吐出するインクを貯留するためのサブタンク１４と、サブタンク１４を大気開放又は閉成するためのバルブユニット１５を備える。サブタンク１４とバルブユニット１５との間は、空気を透過しインクを透過させない選択透過膜である気体透過膜１５ｄを介して連通している。これにより、バルブユニットによる大気開放時は、空気だけがサブタンク１４とバルブユニット１５の間を流通し、インクはサブタンク１４からバルブユニット１５へは漏れ出さない構造となっている。
【００７４】
バルブユニット１５は、上部の大径部１５ｆと、下部に設けられた小径の通気孔１５ｅとを有する。大径部１５ｆ内には大径の弁体と小径のロッドとが一体に形成されたバルブ１５ｂが昇降可能に収納されている。また、バルブ１５ｂの弁体の下端面側と通気孔１５ｅの上端面側との間にはシール用のＯリングであるパッキン１５ｃが介在している。そして、バルブ１５ｂは大径部１５ｆ内に設けられたコイルスプリング等のばね１５ａによって常時下向きに押圧されている。この状態で、パッキン１５ｃがバルブ１５ｂの弁体と大径部１５ｆの下端面とによって押圧されて、バルブ閉成状態となる。このとき、バルブ１５ｂのロッドは通気孔１５ｅの下端開口近傍まで延びてきている。一方、記録ヘッド４の待機位置等に設けられたリリースロッド１６が上昇して、バルブ１５ｂのロッドをばね１５ａの付勢力に抗して上向きに押圧すると、バルブ１５ｂの弁体がパッキン１５ｃから離れ、バルブ開成状態、即ち大気開放状態となる。
【００７５】
ポンプ１２は、インク供給チューブ１１の途中に設けられている。このポンプ１２は、インクをインクカートリッジ１３から記録ヘッド４のサブタンク１４へ供給する方向（以下、インク供給方向と称す。）と、インクをサブタンク１４からインクカートリッジ１３へ戻す方向（以下、インク退避方向と称す。）との双方向にインクを液送可能なポンプである。
【００７６】
図４は、ポンプ１２の具体例を示す図であり、（ａ）はねじポンプ１２ａの概略構成を示し、（ｂ）はベーンポンプ１２ｄの概略構成を示す図である。
ねじポンプ１２ａでは、図４（ａ）に示すように、ケーシング１２ｂに内接してねじ形回転子１２ｃを回転させることで、インクがねじ形回転子１２ｃのねじ山とケーシング１２ｂの内壁との間にできる隙間を満たして軸方向へ送られ、ポンプとして機能する。一方、ベーンポンプ１２ｄは、図４（ｂ）に示すように、ロータ１２ｆに放射状に設けられた溝の中を板状の羽根（ベーン）１２ｇがロータ１２ｆの半径方向へ自由に出入りするような構成を有する。ロータ１２ｆが回転することによってベーン１２ｇが遠心力でロータ１２ｆの半径方向外方へ延出し、ベーン１２ｇの先端がケーシング１２ｅの内周面に接触し、ロータ１２ｆの回転に伴って摺動する。ロータ１２ｆの回転によって、ベーン１２ｇ、ロータ１２ｆ及びケーシング１２ｅで囲まれた室の大きさが拡大、縮小することによってポンプとして作用する。なお、本実施形態のインクジェット記録装置１においては、インク液送用のポンプ１２としてねじポンプ１２ａ、ベーンポンプ１２ｄの何れを用いてもよい。
【００７７】
図５は、ポンプ駆動切替機構１７の概略構成を示す図である。このポンプ駆動切替機構１７は、Ｋ、Ｙ、Ｃ、Ｍの各色のインクに対応する各ポンプ１２を選択的に駆動するためのものである。
【００７８】
図５（ａ）に示すように、ポンプ駆動切替機構１７は、Ｋ、Ｙ、Ｃ、Ｍ各色のインク用のポンプ１２への駆動力の連結切替を行うための駆動切替ギア１８、ポンプ駆動モータ２３（図５には示さず。図６参照）の作動により回転するポンプ駆動軸１９、ポンプ駆動軸１９を軸に回転可能に支持されているギア支持部材２０、ポンプ駆動軸１９に軸通されている駆動軸ギア２１ａ、ギア支持部材２０の一端に軸支され駆動軸ギア２１ａと係合する中間ギア２１ｂ、及びポンプ１２を駆動するためのポンプ側ギア２１ｃ等からなる。なお、ギア支持部材２０、駆動軸ギア２１ａ、中間ギア２１ｂ及びポンプ側ギア２１ｃからなる一連の構成ついては、各色のインクに対応するポンプ１２ごとに設けられている。また、各ギア支持部材２０は、中間ギア２１ｂをポンプ側ギア２１ｃへ係合させる方向へ常に付勢されている。
【００７９】
駆動切替ギア１８は、ステッピングモータ等の駆動切替モータ２２（図５には示さず。図６参照）の作動によって回転するように構成されている。この駆動切替ギア１８には、回転したときに下方に設けられている各ギア支持部材２０の他端に係合する帯状の歯１８ａが４方向へ９０°おきに放射状に形成されている。更に、各方向の歯１８ａには、それぞれ異なる位置に１箇所、各歯１８ａと１対１で対応するギア支持部材２０と係合しないように切欠きが設けられている。つまり、この駆動切替ギア１８を所定量（９０°）ずつ回転させることで、駆動切替ギア１８に設けられた各歯１８ａとその切欠き部分との作用により、駆動するポンプを１台ずつ選択することができるように構成されている。
【００８０】
具体的には、図５（ｂ）に示すように、この歯１８ａの切欠き部分が下側にあるとき、この切欠き部分に対応するギア支持部材２０が中間ギア２１ｂをポンプ側ギア２１ｃへ押圧し、中間ギア２１ｂがポンプ側ギア２１ｃと係合する。したがって、駆動軸ギア２１ａ、中間ギア２１ｂ及びポンプ側ギア２１ｃが互いに係合している状態になる。このとき、ポンプ駆動モータ２３の駆動を受けて回転するポンプ駆動軸１９の回転が、ポンプ駆動軸１９に軸通されている駆動軸ギア２１ａ及び中間ギア２１ｂを介してポンプ側ギア２１ｃへ伝達され、ポンプ側ギア２１ｃが回転することによってポンプ１２が駆動する。
【００８１】
一方、図５（ｃ）に示すように（この図は駆動切替ギア１８が図５（ｂ）に示す状態から反時計回りへ９０°だけ回転した状態を示す。）、歯１８ａが下側へ回りギア支持部材２０の他端側と係合している状態では、ギア支持部材２０が付勢力に逆らってポンプ駆動軸１９を中心に回転し（図５（ｃ）では、時計回り方向。）、ギア支持部材２０の一端側に軸支されている中間ギア２１ｂとポンプ側ギア２１ｃとの係合が離れる。このとき、ポンプ駆動軸１９の回転がポンプ側ギア２１ｃへ伝達されず、ポンプ１２は駆動しない。
【００８２】
なお、ポンプ駆動切替機構１７においては、ポンプ駆動モータ２３の回転方向を正逆切り替えることで各ポンプ１２を正逆両方向駆動すること、即ちインク供給方向とインク退避方向との双方向にインクを液送することが可能である。
【００８３】
［インクジェット記録装置１の電気的構成］
ここで、インクジェット記録装置１の電気的構成について、図６のブロック図を用いて説明する。
【００８４】
図６に示すように、インクジェット記録装置１は、ＣＰＵ１１１、ＲＯＭ１１２、ＲＡＭ１１３及びＥＥＰＲＯＭ１１４を有する制御装置１１０を備えている。
この制御装置１１０は、記録用紙４０の有無やその先端部、後端部、幅方向における端縁などを検出可能な周知のメディアセンサやレジストセンサなどからなる各種センサ群１１６、記録用紙４０の搬送量（位置）を検出する用紙搬送用エンコーダ１１７、操作パネル６、キャリッジ送り用エンコーダ１１８等と電気的に接続されている。
【００８５】
そして更に、制御装置１１０は、給紙モータ１２２を駆動するための給紙モータ駆動回路１２０ａ、用紙搬送モータ１２３を駆動するための搬送モータ駆動回路１２０ｂ、キャリッジモータ１２４を駆動するためのキャリッジモータ駆動回路１２０ｃ、記録ヘッド４を駆動（インクを吐出）するための記録ヘッド駆動回路１２０ｄ、駆動切替モータ２２を駆動するための駆動切替モータ駆動回路１２０ｅ、ポンプ駆動モータ２３を駆動するためのポンプ駆動モータ駆動回路１２０ｆ、及びリリースロッド駆動部２４を駆動するためのリリースロッド駆動回路１２０ｇの各々と電気的に接続されている。
【００８６】
そして、ＲＯＭ１１２やＥＥＰＲＯＭ１１４に格納された各種プログラムに従ってＣＰＵ１１１が各駆動回路１２０ａ〜１２０ｇを制御することで、それぞれの駆動対象が駆動・制御されることとなる。なお、既述の通り、給紙モータ１２２の回転により給紙ローラ８が駆動され、用紙搬送モータ１２３の回転により搬送ローラ７ａが駆動される。
【００８７】
また、制御装置１１０は、各インク供給チューブ１１の気泡検知装置１１ａ，１１ｂと電気的に接続されている。
また、制御装置１１０のＲＡＭ１１３は、各インク供給チューブ１１毎に、寸法対応値の初期値である初期寸法対応値を記憶する。
【００８８】
ここで、寸法対応値とは、インク供給チューブ１１の寸法（詳しくは、インク供給チューブ１１における第一の検出位置から第二の検出位置までの部分の寸法）から得られる値のことであり、例えば、インク供給チューブ１１の内径、長さ、内部容積、内部流路抵抗（圧力損失）が寸法対応値に該当する。
【００８９】
寸法対応値の種類としては、このように種々の態様のものを採用し得る。本実施形態では、次の（１）、（２）の２種類の値それぞれを寸法対応値とした場合につき、以下において説明する。
【００９０】
（１）各インク供給チューブ１１における第一の検出位置から第二の検出位置までの部分の内径（以下、単に「各インク供給チューブ１１の内径」、「インク供給チューブ１１の内径」、あるいは「寸法対応値１」ともいう。）
（２）各インク供給チューブ１１における第一の検出位置から第二の検出位置までの部分内をインクが流動する際の流路抵抗（圧力損失）（以下、単に「各インク供給チューブ１１の流路抵抗」、「インク供給チューブ１１の流路抵抗」、あるいは「寸法対応値２」ともいう。）
また、初期寸法対応値とは、寸法対応値の初期値のことである。初期寸法対応値の具体例としては、例えば、設計上の寸法対応値、あるいは、当該インクジェット記録装置１を製造する際に実測した寸法対応値などが考えられる。
【００９１】
本実施形態では、「各インク供給チューブ１１の内径」の設計上の値と、「各インク供給チューブ１１の流路抵抗」の設計上の値とのそれぞれを初期寸法対応値としてＲＡＭ１１３に記憶した場合につき、以下では説明する。以下、「各インク供給チューブ１１の内径」に関する初期寸法対応値を「初期寸法対応値１」ともいい、「各インク供給チューブ１１の流路抵抗」に関する初期寸法対応値を「初期寸法対応値２」ともいう。
【００９２】
また、ＲＡＭ１１３は、「各インク供給チューブ１１の内径」と、ポンプ液送量とを対応付けたテーブルを記憶する（図９参照）。
ここで、ポンプ液送量とは、初期導入時と、初期導入時を起点とした予め定めた時間経過毎の時点とにおいて廃棄される、少なくとも各インク供給チューブ１１内（本実施形態では、各インク供給チューブ１１内と各インク供給チューブ１１に接続された記録ヘッド４（サブタンク１４）内）に存するインクと気泡との混合物のポンプ１２による廃棄移送量のことである。このような廃棄により、各インク供給チューブ１１内に増粘したインクが残留することが好適に防止される。なお、「初期導入時」とは、インクジェット記録装置１の電源をユーザが最初に投入した時、のことである。
【００９３】
また、ＲＡＭ１１３は、「各インク供給チューブ１１の流路抵抗」と、ポンプ液送圧とを対応付けたテーブルも記憶する（図１０参照）。
ここで、ポンプ液送圧とは、ユーザの操作パネル６操作等に応じて、各インク供給チューブ１１が接続された記録ヘッド４が有する噴射ノズル１４ａの吐出能力回復を図るパージ動作が行われる際に、インク供給チューブ１１内に存するインク（具体的には、インクと気泡の混合物）にポンプ１２がかけるべき圧力のことである。
【００９４】
また、制御装置１１０のＲＡＭ１１３は、計量されたインクの吐出量を記憶するのに利用される。インクの吐出量の計量は、各ノズルからインクが吐出されるごとにカウント処理（後述のＳ３２０〜Ｓ３４０、Ｓ３７０〜Ｓ３８０（図８））を行うことにより実行される。
【００９５】
カウント処理においては、予め定めた量のインクが吐出される度にＲＡＭ１１３に記憶されるカウント値が所定値（例えば、１）ずつ増加される。１度に増加されるカウント値は、吐出したインク滴の大きさによって変更される。
【００９６】
例えば、比較的小さなインク滴が１度吐出された場合には、カウント値を１増加させる一方、比較的大きなインク滴が１度吐出された場合には、カウント値を３増加させる、といった処理が実行される。
【００９７】
また、カウント処理では、例えば、操作パネル６のユーザによる操作により、噴射ノズル１４ａの吐出能力回復を図るためのパージ動作（吐出能回復処理）が行われた場合にもカウント値を所定値（例えば、５０）増加させる処理が実行される。
【００９８】
なお、ＲＡＭ１１３は、１カウント値当たりのインク吐出量（以下、単に「単位吐出量」ともいう。）も記憶する。単位吐出量は、カウント停止時（後述のＳ３４０（図８））のカウント値を、各インク供給チューブ１１における第一の検出位置から第二の検出位置まで気泡が移動する間に、各インク供給チューブ１１に対応した各噴射ノズル１４ａから吐出されたインク量（以下、単に「インク移送量」ともいう。）に換算するために用いられる。
【００９９】
ここで、「インク移送量」とは、換言すれば、各インク供給チューブ１１における第一の検出位置から第二の検出位置まで気泡が移動する間に、各インク供給チューブ１１を介して移送されるインクと気泡との混合物の移送量、のことである。
【０１００】
また、制御装置１１０は、各インク供給チューブ１１内および各インク供給チューブ１１に接続された記録ヘッド４（サブタンク１４）内のインクを入れ替える「インク入替処理」、および各インク供給チューブ１１に関するランクデータの検出・記憶を行う「チューブランク検出処理」（詳細については後述する。）を実行する。
【０１０１】
なお、制御装置１１０（特に、ＲＡＭ１１３とＣＰＵ１１１）は、初期値記憶手段、対応値記憶手段、平均値記憶手段に該当する。また、制御装置１１０（特に、ＣＰＵ１１１とＲＡＭ１１３）は、気泡検知装置１１ａ，１１ｂとともに移送量決定手段、吐出量計量手段に該当する。また、制御装置１１０（特に、ＣＰＵ１１１）は、対応値決定手段、平均値決定手段、偏差判断手段、判断手段に該当する。また、制御装置１１０（特に、ＣＰＵ１１１）は、駆動切替モータ駆動回路１２０ｅ、駆動切替モータ２２、ポンプ駆動モータ駆動回路１２０ｆ、ポンプ駆動モータ２３とともに駆動手段に該当する。
【０１０２】
［インク入替処理の説明］
以下、制御装置１１０が実行するインク入替処理について、図７のフローチャートに基づいて説明する。なお、図７は、制御装置１１０において実行されるインク入替処理の手順を示すフローチャートである。
【０１０３】
このインク入替処理は、各インク供給チューブ１１内に増粘したインクが残留することを好適に防止するため、インク供給チューブ１１内および記録ヘッド４内のインクを入れ替える処理であり、インクジェット記録装置１の電源が入っている際に繰り返し実行される。
【０１０４】
まず、初期導入時か、あるいは、本処理のサブルーチンであるインク入替動作が前回実行されてから所定時間が経過したか否かを判断する（Ｓ２１０）。なお、ここでいう所定時間については、インク供給チューブ１１内および記録ヘッド４内のインクの増粘性を考慮して２０日から３０日程度に設定されることが好ましい。本実施形態では、所定時間は２０日と設定されている。初期導入時でない、あるいは、所定時間が経過していないと判断された場合には（Ｓ２１０：Ｎ）、そのまま本処理を終了する。一方、初期導入時である、あるいは、所定時間が経過していると判断された場合には（Ｓ２１０：Ｙ）、サブルーチンであるインク入替動作を実行する（Ｓ２２０）。そして、インク入替動作を実行した時間をＲＡＭ１１３等に記憶し（Ｓ２３０）、本処理を終了する。
【０１０５】
次に、サブルーチンであるインク入替動作（Ｓ２２０）について説明する。まず、ＲＡＭ１１３から各インク供給チューブ１１に対応したランクデータ（ポンプ液送量（図９参照））を呼び出し（Ｓ２２２）、その呼び出したランクデータに基づいて各ポンプ１２を作動させる（Ｓ２２４）。つまり、後述のＳ３４０〜Ｓ３６０の処理（図８）において、各インク供給チューブ１１の内径に基づいて決定されたポンプ液送量のインク（具体的には、インクと気泡との混合物）を排出するよう各ポンプ１２を作動させるのである。そして、リターンする。なお、ランクデータ（ポンプ液送量）については、後述するチューブランク検出処理にてＲＡＭ１１３に記憶される。
【０１０６】
［チューブランク検出処理の説明］
以下、制御装置１１０が実行するチューブランク検出処理について、図８のフローチャート、図９、および図１０に基づいて説明する。なお、図８は、各インク供給チューブ１１に関して制御装置１１０において実行されるチューブランク検出処理の手順を示すフローチャートである。また、図９は、インク供給チューブ１１の内径と、ポンプ液送量とを対応付けた対応設定ランク表を示す説明図である。また、図１０は、インク供給チューブ１１の流路抵抗と、ポンプ液送圧とを対応付けた対応設定ランク表を示す説明図である。
【０１０７】
このチューブランク検出処理は、各インク供給チューブ１１の内径を検出することで各インク供給チューブ１１に対応した２種類のランクデータ（ポンプ液送量（図９参照）とポンプ液送圧（図１０参照））を検出する処理であり、インクジェット記録装置１の電源が入っている際に繰り返し実行される。また、このチューブランク検出処理は、上述の４基の記録ヘッド４にそれぞれ対応して設けられたインク供給チューブ１１ごとに実行される。
【０１０８】
まず、気泡検知装置１１ａからの出力信号に基づき、第一の検出位置にて気泡を検出したか否かを判断する（Ｓ３１０）。第一の検出位置にて気泡を検出していないと判断された場合には（Ｓ３１０：Ｎ）、そのまま本処理を終了する。一方、第一の検出位置にて気泡を検出したと判断された場合には（Ｓ３１０：Ｙ）、カウント処理に使用するカウント値をリセットするとともに、カウント処理をスタートさせる（Ｓ３２０）。
【０１０９】
続いて、気泡検知装置１１ｂからの出力信号に基づき、第二の検出位置にて気泡を検出したか否かを判断する（Ｓ３３０）。第二の検出位置にて気泡を検出していないと判断された場合には（Ｓ３３０：Ｎ）、インクの吐出量を計量したカウント値がＭＡＸ値であるか否かを判断する（Ｓ３７０）。カウント値がＭＡＸ値でなければＳ３３０に戻り（Ｓ３７０：Ｎ）、カウント値がＭＡＸ値であればカウント処理を停止してＳ３１０に戻る（Ｓ３７０：Ｙ、Ｓ３８０））。ここでＭＡＸ値とは、気泡が第一の検出位置から第二の検出位置に至るまでにカウント処理においてカウントされるべきカウント値の最大値をいう。換言すれば、このＭＡＸ値をカウントしても第二の検出位置で気泡を検出できなければ、その気泡はインクの消費（換言すれば、インク吐出に伴うインク供給チューブ１１外へのインク移送）によってインク供給チューブ１１内を移動する気泡ではないものとして、カウント処理が停止される。
【０１１０】
一方、第二の検出位置にて気泡を検出していると判断された場合には（Ｓ３３０：Ｙ）、カウント処理を停止する（Ｓ３４０）。
Ｓ３４０では、この停止時点のカウント値とＲＡＭ１１３に記憶された単位吐出量とに基づき、インク移送量を決定する。そして、このインク移送量からインク供給チューブ１１の内径と、インク供給チューブ１１の流路抵抗とを決定し、この両者をＲＡＭ１１３に記憶する。
【０１１１】
なお、ここで決定されるインク移送量は、インク供給チューブ１１における第一の検出位置と第二の検出位置との間の部分内の容積（以下、単に「インク供給チューブ１１の容積」ともいう。）に対応する。
【０１１２】
また、本実施形態では、インク供給チューブ１１における第一の検出位置から第二の検出位置までの部分の長さ寸法（以下、単に「インク供給チューブ１１の長さ」ともいう。）や、インク供給チューブ１１の内壁面における第一の検出位置から第二の検出位置までの部分の表面粗さ（以下、単に「チューブ粗さ」ともいう。）のそれぞれを、インク供給チューブ１１の違いに拘らず予め定めた同じ値と仮定している。
【０１１３】
よって、Ｓ３４０では、インク供給チューブ１１の容積に対応するインク移送量からインク供給チューブ１１の内径を決定できる。また、Ｓ３４０では、該インク供給チューブ１１の内径からインク供給チューブ１１の流路抵抗も決定できる。
【０１１４】
次に、Ｓ３５０では、Ｓ３４０で決定されたインク供給チューブ１１の内径と、インク供給チューブ１１の内径に関する現在保有値（以下、単に「保有値１」ともいう。）との間の偏差が予め定めた範囲外の値か否かを判断する。
【０１１５】
本実施形態では、保有値１は、ＲＡＭ１１３に予め記憶された値であり、その具体的態様としては、次の３つの態様が想定される。
（１）初期寸法対応値１（本実施形態では、「インク供給チューブ１１の内径」の設計上の値）
初期寸法対応値１は、初期導入時以降において、最初のチューブランク検出処理が実行されているときに保有値１として用いられる。
【０１１６】
（２）少なくとも１個の寸法対応値１（本実施形態では、Ｓ３４０の処理を少なくとも１度実行することで決定・記憶された少なくとも１個の「インク供給チューブ１１の内径」値）と、初期寸法対応値１との平均値
２回目以降のチューブランク検出処理が実行されているときであって、ＲＡＭ１１３に記憶された寸法対応値１の個数が１個以上あるものの２個以上の予め定めた個数（例えば３個）未満である場合には、当該寸法対応値１と初期寸法対応値１との平均値が保有値１として用いられる。
【０１１７】
（３）Ｓ３４０の処理を繰り返し実行することで決定・記憶された予め定めた個数（例えば３個）以上の寸法対応値１の平均値
ＲＡＭ１１３に記憶された寸法対応値１の個数が比較的多くなった場合には、例えば、最近の複数回（例えば、３回）のＳ３４０の処理にて決定・記憶された予め定めた個数の寸法対応値１の平均値が保有値１として用いられる。
【０１１８】
また、Ｓ３５０では、Ｓ３４０で決定されたインク供給チューブ１１の流路抵抗と、インク供給チューブ１１の流路抵抗に関する現在保有値（以下、単に「保有値２」ともいう。）との間の偏差が予め定めた範囲外の値か否かも判断する。
【０１１９】
本実施形態では、保有値２は、ＲＡＭ１１３に予め記憶された値であり、その具体的態様としては、次の３つの態様が想定される。
（１）初期寸法対応値２（本実施形態では、「インク供給チューブ１１の流路抵抗」の設計上の値）
初期寸法対応値２は、初期導入時以降において、最初のチューブランク検出処理が実行されているときに保有値２として用いられる。
【０１２０】
（２）少なくとも１個の寸法対応値２（本実施形態では、Ｓ３４０の処理を少なくとも１度実行することで決定・記憶された少なくとも１個の「インク供給チューブ１１の流路抵抗」値）と、初期寸法対応値２との平均値
２回目以降のチューブランク検出処理が実行されているときであって、ＲＡＭ１１３に記憶された寸法対応値２の個数が１個以上あるものの２個以上の予め定めた個数（例えば３個）未満である場合には、当該寸法対応値２と初期寸法対応値２との平均値が保有値２として用いられる。
【０１２１】
（３）Ｓ３４０の処理を繰り返し実行することで決定・記憶された予め定めた個数（例えば３個）以上の寸法対応値２の平均値
ＲＡＭ１１３に記憶された寸法対応値２の個数が比較的多くなった場合には、例えば、最近の複数回（例えば、３回）のＳ３４０の処理にて決定・記憶された予め定めた個数の寸法対応値２の平均値が保有値２として用いられる。
【０１２２】
そして、Ｓ３５０の処理では、下記の条件（１）、（２）のうち少なくとも一方の条件が満たされたと判断されれば、肯定判断を行い（Ｓ３５０：Ｙ）、Ｓ３６０に移行する一方、両方の条件が満たされないと判断されれば、否定判断を行い（Ｓ３５０：Ｎ）、そのまま本処理を終了する。
【０１２３】
条件（１）Ｓ３４０で決定されたインク供給チューブ１１の内径と、保有値１との間の偏差が予め定めた範囲外にあること。
条件（２）Ｓ３４０で決定されたインク供給チューブ１１の流路抵抗と、保有値２との間の偏差が予め定めた範囲外にあること。
【０１２４】
続くＳ３６０では、次の処理を行う。
具体的には、上記条件（１）が満たされたとＳ３５０で判断された場合には、次の（Ａ）、（Ｂ）のうちいずれかの処理が実行される。
【０１２５】
（Ａ）本処理のＳ３４０でＲＡＭ１１３に記憶した寸法対応値１を含む少なくとも１つの寸法対応値１と初期寸法対応値１との平均値を決定し、該平均値を保有値１の更新値としてＲＡＭ１１３に記憶する。
【０１２６】
この（Ａ）の処理は、本処理のＳ３４０でＲＡＭ１１３に記憶した寸法対応値１を含めてＲＡＭ１１３に記憶された寸法対応値１の個数の総数が予め定めた個数（例えば３個）未満である場合に実行される。
【０１２７】
（Ｂ）本処理のＳ３４０でＲＡＭ１１３に記憶した寸法対応値１を含む、最近の複数回（例えば、３回）のＳ３４０の処理にてＲＡＭ１１３に記憶した複数個の寸法対応値１の平均値を決定し、該平均値を保有値１の更新値としてＲＡＭ１１３に記憶する。
【０１２８】
この（Ｂ）の処理は、ＲＡＭ１１３に記憶された寸法対応値１の個数の総数が予め定めた個数（例えば３個）以上である場合に実行される。
そして、Ｓ３６０では、上記（Ａ）、（Ｂ）のうちいずれかの処理にて更新された保有値１（インク供給チューブ１１の内径）から、ＲＡＭ１１３に記憶されたテーブル（図９参照）に基づき、ポンプ液送量を決定する。具体的には、保有値１（インク供給チューブ１１の内径）とポンプ液送量との間に次の計算式（１）が成立するようにポンプ液送量を決定する。
【０１２９】
Ａｎ＾２  ×  ３．１４（円周率）  ／  Ｑｎ  ＝  一定・・・（１）
なお、Ａｎはインク供給チューブ１１の内径、Ｑｎはポンプ液送量である（ｎは１以上の整数）。
【０１３０】
Ｓ３６０では、上記のように決定されたポンプ液送量を、上記Ｓ２２４の処理で使用するランクデータとしてＲＡＭ１１３に記憶する。
また、Ｓ３６０では、上記条件（２）が満たされたとＳ３５０で判断された場合には、次の（Ｃ）、（Ｄ）のうちいずれかの処理が実行される。
【０１３１】
（Ｃ）本処理のＳ３４０でＲＡＭ１１３に記憶した寸法対応値２を含む少なくとも１つの寸法対応値２と初期寸法対応値２との平均値を決定し、該平均値を保有値２の更新値としてＲＡＭ１１３に記憶する。
【０１３２】
この（Ｃ）の処理は、本処理のＳ３４０でＲＡＭ１１３に記憶した寸法対応値２を含めてＲＡＭ１１３に記憶された寸法対応値２の個数の総数が予め定めた個数（例えば３個）未満である場合に実行される。
【０１３３】
（Ｄ）本処理のＳ３４０でＲＡＭ１１３に記憶した寸法対応値２を含む、最近の複数回（例えば、３回）のＳ３４０の処理にてＲＡＭ１１３に記憶した複数個の寸法対応値２の平均値を決定し、該平均値を保有値２の更新値としてＲＡＭ１１３に記憶する。
【０１３４】
この（Ｄ）の処理は、ＲＡＭ１１３に記憶された寸法対応値２の個数の総数が予め定めた個数（例えば３個）以上である場合に実行される。
そして、Ｓ３６０では、上記（Ｃ）、（Ｄ）のうちいずれかの処理にて更新された保有値２（インク供給チューブ１１の流路抵抗）から、ＲＡＭ１１３に記憶されたテーブル（図１０参照）に基づき、ポンプ液送圧を決定する。具体的には、保有値２（インク供給チューブ１１の流路抵抗）とポンプ液送圧との間に次の計算式（２）が成立するようにポンプ液送圧を決定する。
【０１３５】
Ｈｎ  ／  Ｐｎ  ＝  一定・・・（２）
なお、Ｈｎはインク供給チューブ１１の流路抵抗、Ｐｎはポンプ液送圧である（ｎは１以上の整数）。
【０１３６】
Ｓ３６０では、上記のように決定されたポンプ液送圧を、ランクデータとしてＲＡＭ１１３に記憶する。このランクデータは、今後実行される吐出能回復処理時にポンプ１２にかけるべき圧力を示すデータとして使用される。つまり、吐出能回復処理時には、このポンプ液送圧となるよう、制御装置１１０により、ポンプ１２が制御される。
【０１３７】
［効果］
（１）このように上記実施形態のインクジェット記録装置１によれば、２つの検出位置の間を気泡が移動する間に吐出されたインク量（インク移送量）に基づいて、各インク供給チューブ１１の寸法対応値１、２が決定される。そして、寸法対応値１、２に基づいて、インク入替処理時のポンプ液送量や、吐出能回復処理時のポンプ液送圧が決定される。
【０１３８】
上記実施形態では、このように寸法対応値１、２に基づいたポンプ１２の駆動制御が実現される分だけ、インク入替処理時や吐出能回復処理時に噴射ノズル１４ａから吐出される無駄なインク量を低減させることが可能になる。
【０１３９】
（２）また、上記実施形態のインクジェット記録装置１によれば、第一の検出位置については、インク供給チューブ１１におけるポンプ１２のサブタンク１４側近傍に設定されており、第二の検出位置については、インク供給チューブ１１におけるサブタンク１４近傍に設定されている。
【０１４０】
このことにより、第一の検出位置と第二の検出位置との間隔がインク供給チューブ１１の実際の長さ寸法に近くされている。従って、本実施形態では、インク供給チューブ１１全体の寸法対応値１、２に対応したポンプ１２の駆動制御が実現され易くなる。
【０１４１】
（３）また、上記実施形態では、ＲＡＭ１１３に記憶された寸法対応値１、２それぞれが予め定めた個数以上ある際には、複数個ある寸法対応値１、２それぞれの平均値（更新後の保有値１、２）に基づき、ポンプ１２の駆動制御が実行される。
【０１４２】
従って、寸法対応値１に関する１つの検出値だけ、あるいは、寸法対応値２に関する１つの検出値だけ、に基づいて、ポンプ１２の駆動制御が実行される場合に比べ、各インク供給チューブ１１における実際の寸法対応値１、２により正確に対応したポンプ１２の駆動制御が実現する可能性が高くなる。
【０１４３】
（４）また、上記実施形態では、ＲＡＭ１１３に記憶された寸法対応値１、２それぞれの個数が十分でない場合には、初期寸法対応値１、２に基づき、ポンプ１２の駆動制御が実行される。
【０１４４】
従って、ＲＡＭ１１３に記憶された寸法対応値１、２それぞれの個数が十分でない場合においても、各インク供給チューブ１１の実際の寸法対応値１、２に比較的正確に対応したポンプ１２の駆動制御が実現する可能性が高くなる。
【０１４５】
（５）更に、上記実施形態では、カウント処理において計数されるカウント値がＭＡＸ値に達すると、ＭＡＸ値に達したカウント値に基づくインク移送量の決定が行われない。すなわち、ＭＡＸ値に達したカウント値に基づくインク移送量がＳ３４０で決定されるインク移送量から除外される。
【０１４６】
従って、本実施形態における処理は、第一の検出位置で検出したインク供給チューブ１１内の気泡が、例えば、インクがインク供給チューブ１１外に移送されることに伴い、インク供給チューブ１１内を移動する気泡でなかった場合において好適である。すなわち、誤って、当該「第一の検出位置で検出したインク供給チューブ１１内の気泡」の移動に基づき、インク移送量が決定されてしまうことが防止される。
【０１４７】
以上、本発明の一実施形態について説明したが、本発明は上記実施形態に限定されるものではなく、以下のような様々な態様にて実施することが可能である。なお、以下では、上記実施形態の変形例の説明に際し、上記実施形態と異なる点のみ説明し、同様の点についての説明は省略する。
【０１４８】
［変形例１］寸法対応値１，２の変形例
寸法対応値１は、インク供給チューブ１１の容積であっても良い。また各寸法対応値１は、インク供給チューブ１１の長さであっても良い。但し、インク供給チューブ１１の長さを寸法対応値１とできるのは、インク供給チューブ１１の内径がインク供給チューブの違いに拘らず一定であるとの仮定ができる場合が想定される。
【０１４９】
これらの場合であっても、初期寸法対応値１は、寸法対応値１の初期値として設定される。
また、上記実施形態では、インク供給チューブ１１の流路抵抗を寸法対応値２として設定したが、インク供給チューブ１１の内径を寸法対応値２として設定してもよい。そして、この場合も、初期寸法対応値２は、このような寸法対応値２の初期値として設定すればよい。
【０１５０】
このようにしても、インク供給チューブ１１の長さとチューブ粗さとのそれぞれを、インク供給チューブ１１の違いに拘らず予め定めた同じ値と仮定した場合には、インク供給チューブ１１の内径からポンプ液送圧を決定できる。
【０１５１】
なお、この場合には、ＲＡＭ１１３に記憶される図１０のテーブルが、各インク供給チューブ１１の内径と、ポンプ液送圧とを対応付けたテーブルに置き換えられる。
［変形例２］ポンプ液送量の決定法に関する変形例
ポンプ液送量に関しては、Ｓ３４０で決定されるインク移送量に基づき、直接的に決定されるものであってもよい。
【０１５２】
具体的には、この場合には、まず、各インク供給チューブ１１の初期寸法（設計上の寸法、あるいは、インクジェット記録装置１の製造時の実測から得られた寸法など）に基づき予め定めたインク移送量の初期値（初期移送量）をＲＡＭ１１３に記憶させておく。
【０１５３】
また、ＲＡＭ１１３に記憶される図９のテーブルが、各インク供給チューブ１１によるインク移送量と、ポンプ液送量とを対応付けたテーブルに置き換えられる。
そして、Ｓ３４０では、インク供給チューブ１１の内径の代わりに、インク移送量をＲＡＭ１１３に記憶する。
【０１５４】
続くＳ３５０では、Ｓ３４０で決定・記録されたインク移送量と、インク移送量に関する現在保有値（以下、単に「保有値３」ともいう。）との間の偏差が予め定めた範囲外の値か否かを判断する。
【０１５５】
この実施形態では、保有値３は、ＲＡＭ１１３に予め記憶された値であり、その具体的態様としては、次の３つの態様が想定される。
（ａ）初期移送量
初期移送量は、初期導入時以降において、最初のチューブランク検出処理が実行されているときに保有値３として用いられる。
【０１５６】
（ｂ）少なくとも１個のインク移送量（本実施形態では、Ｓ３４０の処理を少なくとも１度実行することで決定・記憶された少なくとも１個のインク移送量）と、初期移送量との平均値
２回目以降のチューブランク検出処理が実行されているときであって、ＲＡＭ１１３に記憶されたインク移送量の個数が１個以上あるものの２個以上の予め定めた個数（例えば３個）未満である場合には、当該インク移送量と初期移送量との平均値が保有値３として用いられる。
【０１５７】
（ｃ）Ｓ３４０の処理を繰り返し実行することで決定・記憶された予め定めた個数（例えば３個）以上のインク移送量の平均値。
ＲＡＭ１１３に記憶されたインク移送量の個数が比較的多くなった場合には、例えば、最近の複数回（例えば、３回）のＳ３４０の処理にて決定・記憶された予め定めた個数のインク移送量の平均値が保有値３として用いられる。
【０１５８】
そして、Ｓ３５０において、Ｓ３４０で決定されたインク移送量と、保有値３との間の偏差が予め定めた範囲外にあると判断されると、Ｓ３６０にて、次の（Ａ）、（Ｂ）のうちいずれかの処理が実行される。
【０１５９】
（Ａ）本処理のＳ３４０でＲＡＭ１１３に記憶したインク移送量を含む少なくとも１つのインク移送量と初期移送量との平均値を決定し、該平均値を保有値３の更新値としてＲＡＭ１１３に記憶する。
【０１６０】
この（Ａ）の処理は、本処理のＳ３４０でＲＡＭ１１３に記憶したインク移送量を含めてＲＡＭ１１３に記憶されたインク移送量の個数の総数が予め定めた個数（例えば３個）未満である場合に実行される。
【０１６１】
（Ｂ）本処理のＳ３４０でＲＡＭ１１３に記憶したインク移送量を含む、最近の複数回（例えば、３回）のＳ３４０の処理にてＲＡＭ１１３に記憶した複数このインク移送量の平均値を決定し、該平均値を保有値３の更新値としてＲＡＭ１１３に記憶する。
【０１６２】
この（Ｂ）の処理は、ＲＡＭ１１３に記憶されたインク移送量の個数の総数が予め定めた個数（例えば３個）以上である場合に実行される。
そして、Ｓ３６０では、上記（Ａ）、（Ｂ）のうちいずれかの処理にて更新された保有値３（インク移送量）から、ＲＡＭ１１３に記憶された、各インク供給チューブ１１によるインク移送量と、ポンプ液送量とを対応付けたテーブルに基づき、ポンプ液送量を決定する。具体的には、保有値３（インク移送量）とポンプ液送量との間に次の計算式（３）が成立するようにポンプ液送量を決定する。
【０１６３】
Ｉｎ  ／  Ｑｎ  ＝  一定・・・（３）
ここで、Ｉｎはインク移送量、Ｑｎはポンプ液送量である（ｎは１以上の整数）。
Ｓ３６０では、上記のように決定されたポンプ液送量を、上記Ｓ２２４の処理で使用するランクデータとしてＲＡＭ１１３に記憶する。
【０１６４】
なお、変形例２において、「Ｓ３４０で決定されるインク移送量」は、該インク移送量に相当するものとして、Ｓ３４０で得られるカウント処理停止時のカウント値そのものに置き換えても良い。また、初期移送量は、該初期移送量に相当する「カウント処理停止時のカウント値」の初期値に置き換えても良い。
【０１６５】
上記変形例２の場合には、制御装置１１０（特に、ＲＡＭ１１３とＣＰＵ１１１）は、初期値記憶手段、初期量記憶手段、対応値記憶手段、移送量記憶手段、平均値記憶手段に該当する。また、制御装置１１０（特に、ＣＰＵ１１１とＲＡＭ１１３）は、気泡検知装置１１ａ，１１ｂとともに移送量決定手段、吐出量計量手段に該当する。また、制御装置１１０（特に、ＣＰＵ１１１）は、対応値決定手段、平均値決定手段、偏差判断手段、判断手段に該当する。また、制御装置１１０（特に、ＣＰＵ１１１）は、駆動切替モータ駆動回路１２０ｅ、駆動切替モータ２２、ポンプ駆動モータ駆動回路１２０ｆ、ポンプ駆動モータ２３とともに駆動手段に該当する。
【０１６６】
［変形例３］平均値決定を伴わないランクデータ決定に関する変形例
上記実施形態においては、ＲＡＭ１１３に記憶された寸法対応値１、２それぞれが予め定めた個数以上ある際には、複数個ある寸法対応値１、２それぞれの平均値（更新後の保有値１、２）に基づき、ポンプ液送量とポンプ液送圧とを決定した。
【０１６７】
しかし、Ｓ３５０の処理を省略し、Ｓ３６０では、Ｓ３４０で決定した１個の寸法対応値１と１個の寸法対応値２とのそれぞれから直接的にポンプ液送量とポンプ液送圧とを決定してもよい。
【０１６８】
また、上記変形例２においては、ＲＡＭ１１３に記憶されたインク移送量が予め定めた個数以上ある際には、複数個あるインク移送量の平均値（更新後の保有値３）に基づき、ポンプ液送量を決定した。
【０１６９】
しかし、上記変形例２において、Ｓ３５０の処理を省略し、Ｓ３６０では、Ｓ３４０で決定した１個のインク移送量から直接的にポンプ液送量を決定してもよい。
【図面の簡単な説明】
【０１７０】
【図１】本発明を適用するのに好適なインクジェット記録装置１の外形斜視図である。
【図２】インクジェット記録装置１の断面図である。
【図３】インクジェット記録装置１のインク供給機構の概略構成を示す説明図であり、（ａ）はインク供給機構の側断面を模式的に示す図、（ｂ）は記録ヘッド４の上視断面を模式的に示す図である。
【図４】ポンプ１２の具体例を示す図であり、（ａ）はねじポンプ１２ａの概略構成を示す図で、（ｂ）はベーンポンプ１２ｄの概略構成を示す図である。
【図５】ポンプ駆動切替機構１７の概略構成を示す図である。
【図６】インクジェット記録装置１の電気的構成を示すブロック図である。
【図７】インク入替処理の手順を示すフローチャートである。
【図８】チューブランク検出処理の手順を示すフローチャートである。
【図９】対応設定ランク表を示す説明図である。
【図１０】対応設定ランク表を示す説明図である。
【符号の説明】
【０１７１】
１…インクジェット記録装置、２…スキャナ、３…給紙カセット、４…記録ヘッド、６…操作パネル、７…記録部、１１…インク供給チューブ、１１ａ，１１ｂ…気泡検知装置、１２…ポンプ、１２ａ…ねじポンプ、１２ｂ…ケーシング、１２ｃ…ねじ形回転子、１２ｄ…ベーンポンプ、１２ｅ…ケーシング、１２ｆ…ロータ、１２ｇ…羽根（ベーン）１３…インクカートリッジ、１４…サブタンク、１４ａ…噴射ノズル、１５…バルブユニット、１５ａ…ばね、１５ｂ…バルブ、１５ｃ…パッキン、１５ｄ…気体透過膜、１５ｅ…通気孔、１５ｆ…大径部、１６…リリースロッド、１７…ポンプ駆動切替機構、１８…駆動切替ギア、１８ａ…歯、１９…ポンプ駆動軸、２０…ギア支持部材、２１ａ…駆動軸ギア、２１ｂ…中間ギア、２１ｃ…ポンプ側ギア、２２…駆動切替モータ、２３…ポンプ駆動モータ、１１０…制御装置、１２０ｅ…駆動切替モータ駆動回路、１２０ｆ…ポンプ駆動モータ駆動回路
【図１】
2007055256.tif 000003
【図４】
2007055256.tif 000004
【図５】
2007055256.tif 000005
【図６】
2007055256.tif 000006
【図７】
2007055256.tif 000007
【図８】
2007055256.tif 000008
【図９】
2007055256.tif 000009
【図１０】
2007055256.tif 000010
【図２】
2007055256.tif 000011
【図３】
2007055256.tif 000012